(57)【特許請求の範囲】
【請求項１】
通信回線と接続するための複数の回線接続部と、該回線接続部夫々と複数の送信元の識別情報夫々とを対応付けて記憶する第１記憶手段と、データ送信を行う場合に識別情報の選択を受け付ける受付手段とを備え、選択された識別情報に対応付けられた回線接続部と接続されている通信回線を用いてデータ送信すべくなしてあることを特徴とする通信端末装置。
【請求項２】
データ送信の都度、通信利用料金を識別情報別に記憶する第２記憶手段を更に備えることを特徴とする請求項１に記載の通信端末装置。
【請求項３】
前記識別情報別に記憶された通信利用料金に基づいて、送信元別に通信利用料金を集計する集計手段と、集計した送信元別の通信利用料金を出力する出力手段とを更に備えることを特徴とする請求項２に記載の通信端末装置。
【発明の詳細な説明】
【０００１】
【発明の属する技術分野】
本発明は、複数の通信回線と接続することが可能なファクシミリ装置等の通信端末装置に関し、特に複数の利用者によって共用される場合に、各利用者別に通信の利用状況を管理する通信端末装置に関する。
【０００２】
【従来の技術】
従来から、通信回線と接続するための回線接続部を複数備えることによって、複数の通信回線を収容することが可能なファクシミリ装置等の通信端末装置が実現されている。このような通信端末装置は、利用者からデータの送信要求を受け付けた場合、各通信回線の使用状況を確認し、使用されていない通信回線の中から任意の通信回線を選択してデータ送信を行う。これにより複数の通信回線の有効利用を図ることが可能になる。
【０００３】
【発明が解決しようとする課題】
上述したように、従来では、送信元となる利用者自身が使用する通信回線を選択するのではなく、装置側にて、使用されていない通信回線の中から任意の通信回線を自動的に選択していた。そのため、複数の利用者によって通信端末装置が共用されている場合、どの利用者がどの通信回線をどれくらいの時間使用してデータ送信を行ったのか等の利用状況が不明であった。このように各利用者別の利用状況が不明である場合、通信回線の利用料金の負担を各利用者へ適切に割り振ることができないという問題があった。
【０００４】
本発明は斯かる事情に鑑みてなされたものであり、複数の回線接続部夫々と複数の送信元の識別情報夫々とを対応付けて記憶しておき、データ送信の際、利用者によって選択された識別情報に対応付けられた回線接続部と接続されている通信回線を用いることによって、複数の利用者によって共用されている場合であっても、利用者と通信回線とを対応付けて通信の利用状況を管理することができる通信端末装置を提供することを目的とする。
【０００５】
また本発明の他の目的は、データ送信の都度、そのデータ送信に係る通信利用料金を識別情報別に記憶することによって、利用者別の料金管理を行うことができる通信端末装置を提供することにある。
【０００６】
さらに本発明の他の目的は、送信元別に通信利用料金を集計して出力することによって、各利用者が負担すべき通信利用料金を容易に把握することができる通信端末装置を提供することにある。
【０００７】
【課題を解決するための手段】
第１発明に係る通信端末装置は、通信回線と接続するための複数の回線接続部と、該回線接続部夫々と複数の送信元の識別情報夫々とを対応付けて記憶する第１記憶手段と、データ送信を行う場合に識別情報の選択を受け付ける受付手段とを備え、選択された識別情報に対応付けられた回線接続部と接続されている通信回線を用いてデータ送信すべくなしてあることを特徴とする。
【０００８】
第１発明による場合、複数の回線接続部夫々と複数の送信元の識別情報夫々とを対応付けて記憶する手段を備えており、データ送信の際に利用者から識別情報の選択を受け付け、選択された識別情報に対応付けられた回線接続部と接続されている通信回線を用いてデータ送信を行う。
【０００９】
このように、発信元毎に定められた通信回線を用いてデータ送信を行うことによって、利用者と通信回線とを対応付けて通信の利用状況を管理することが可能になる。したがって、例えば複数の部署を有する会社において、これらの部署が一台の通信端末装置を共用している場合であっても、通信回線の利用状況を各部署毎に管理することができる。
【００１０】
第２発明に係る通信端末装置は、第１発明の通信端末装置において、データ送信の都度、通信利用料金を識別情報別に記憶する第２記憶手段を更に備えることを特徴とする。
【００１１】
第２発明による場合、第１発明の通信端末装置において、データ送信を行う都度、そのデータ送信に係る通信利用料金を識別情報別に記憶する構成としたので、複数の利用者によって通信端末装置が共用されている場合であっても、利用者別の料金管理を容易に行うことができる。したがって、例えば上述した複数の部署を有する会社において、各部署別の料金管理を容易に行うことが可能になる。
【００１２】
第３発明に係る通信端末装置は、第２発明の通信端末装置において、前記識別情報別に記憶された通信利用料金に基づいて、送信元別に通信利用料金を集計する集計手段と、集計した送信元別の通信利用料金を出力する出力手段とを更に備えることを特徴とする。
【００１３】
第３発明による場合、第２発明の通信端末装置において、送信元別に通信料金の集計処理を行い、その結果得られた送信元別の通信料金の集計を出力する構成としたので、各利用者が負担すべき通信利用料金の把握を容易に行うことができる。したがって、例えば上述した複数の部署を有する会社において、各部署が負担すべき通信利用料金を容易に把握することが可能になる。
【００１４】
【発明の実施の形態】
以下、本発明をその実施の形態を示す図面を参照して詳述する。
図１は、本発明に係る通信端末装置としてのファクシミリ装置の構成を示すブロック図である。図１において、１はＣＰＵで構成されている主制御部を示しており、該主制御部１は、バス２０を介して以下のハードウェア各部と接続されていて、それらを制御すると共に、ＲＯＭ４に格納された種々のプログラムを実行する。
【００１５】
モデム２は、送受信データの変復調、具体的には本来はデジタル信号である送信データをアナログの音声信号に変調してＮＣＵ３を介して通信回線Ｌ，Ｌ…へ送出し、また逆に通信回線Ｌ，Ｌ…からＮＣＵ３を介して受信したアナログの音声信号をデジタル信号に復調する。
【００１６】
ＮＣＵ３は、複数の回線接続部３１，３１…を備えており、これらの回線接続部３１，３１…夫々に接続されている通信回線Ｌ，Ｌ…夫々とこのファクシミリ装置との接続を制御すると共に、通信相手の電話番号（ファクシミリ番号）に応じたダイヤルパルスを送出する機能及び着信を検出する機能を有している。なお、これらの通信回線Ｌ，Ｌ…は、図示されていない一般公衆回線に接続されている。
【００１７】
ＲＯＭ４は、このファクシミリ装置の動作に必要な種々のソフトウェアのプログラムを格納している。ＲＡＭ５は、例えばＳＲＡＭ又はフラッシュメモリ等で構成され、ソフトウェアの実行時に発生する一時的なデータを記憶する。なお、ＲＡＭ５にフラッシュメモリを使用した場合には、停電，ファクシミリ装置の移動等のために電源が遮断された場合であっても記憶内容が失われることはない。
【００１８】
このＲＡＭ５の適宜の領域には、回線接続部３１，３１…を識別するための情報と送信元を識別するための送信元番号との関係を表す図２に示すような対応テーブル５ａが格納されている。この対応テーブル５ａは、利用者の操作によって消去、更新又は追加することが可能である。図２に示すとおり、対応テーブル５ａでは、回線接続部３１，３１…を識別するための情報として、それらの回線接続部３１，３１…夫々と接続されている通信回線Ｌ，Ｌ…夫々を識別するための番号（回線番号）が用いられており、また送信元番号に対しては送信元である利用者が所属している部署の名称（送信元名称）が付与されている。
【００１９】
画像メモリ６は、例えばＤＲＡＭ等で構成され、後述する読取部９が読み取った画像データを格納し、また外部から通信回線Ｌ，Ｌ…及びモデム２を介して受信した画像データを格納する。表示部７は、液晶表示装置（ＬＣＤ）またはＣＲＴディスプレイ等の表示装置であり、ファクシミリ装置の動作状態を表示したり、送信すべき原稿の画像データ及び受信した画像データ、及び通信の利用状況等の表示を行う。
【００２０】
操作部８は、ファクシミリ装置を操作するために必要な文字キー，テンキー（数字キー），ワンタッチダイヤルキー，短縮キー及び各種のファンクションキーを備えている。読取部９は、例えばＣＣＤイメージセンサ等のスキャナにより原稿画像の読み取りを行う。
【００２１】
記録部１０は、例えば電子写真方式等のプリンタ装置であり、入力されるファクシミリ通信により受信した画像データをハードコピーとして、Ａ３縦，Ｂ４縦，Ａ４縦，Ｂ５横，及びＡ５横等の各サイズの記録紙から最適なサイズの記録紙を選択し、記録する。
【００２２】
次にこのファクシミリ装置の動作について説明する。図３及び図４は、本発明の通信端末装置としてのファクシミリ装置におけるデータ送信処理の手順を示すフローチャートである。
まずファクシミリ装置は、図５に示すような送信元名称の一覧情報７ａを表示部７にて表示する（Ｓ１０１）。この送信元名称の一覧情報は、上述したＲＡＭ５に格納されている対応テーブル５ａの内容に基づいて作成される。なお図５に示すとおり、送信元名称の一覧情報７ａには、送信元名称を選択するカーソルＣを移動するために用いられるカーソルキーＣＫ及び送信元名称の選択を確定するために用いられるセットキーＳＫとしてのソフトキーが夫々含まれている。
【００２３】
利用者は、カーソルキーＣＫを押下することによって自己が所属する部署を示す送信元名称を選択し、セットキーＳＫを押下してその選択を確定する。ファクシミリ装置は、カーソルキーＣＫが押下されたと判定した場合（Ｓ１０２でＹＥＳ）、その押下に応じてカーソルＣを移動させ（Ｓ１０３）、ステップＳ１０１に戻る。また、カーソルキーＣＫが押下されず（Ｓ１０２でＮＯ）、さらにセットキーＳＫも押下されない場合（Ｓ１０４でＮＯ）も同じくステップＳ１０１に戻る。
【００２４】
一方、カーソルキーＣＫが押下されず（Ｓ１０２でＮＯ）、セットキーＳＫが押下されたと判定した場合（Ｓ１０４でＹＥＳ）、ＲＡＭ５に格納されている対応テーブル５ａを参照し、確定された送信元名称に対応する回線番号によって示される通信回線Ｌをデータ送信に使用する通信回線として決定する（Ｓ１０５）。
【００２５】
次に、テンキー、ワンタッチダイヤルキー及び短縮キー等を用いることによって利用者が入力した宛先情報（通信相手のファクシミリ番号等）を受け付け（Ｓ１０６）、さらにこの受け付けた宛先情報に基づいてデータ送信を開始するか又はキャンセルするかの何れかの選択を利用者から受け付ける（Ｓ１０７）。ここでキャンセルする旨を利用者から受け付けた場合（Ｓ１０７でキャンセル）、ステップＳ１０６に戻る。
【００２６】
一方、データ送信を開始する旨を利用者から受け付けた場合（Ｓ１０７で送信開始）、読取部９にて送信用の原稿の画像データの読み取りを行い、読み取った画像データを画像メモリ６に格納する（Ｓ１０８）。そしてこのデータ送信に係る送信予約を送信予約の待ち行列に加えることによってＲＡＭ５に格納する（Ｓ１０９）。
【００２７】
次に、ステップＳ１０５にて決定した通信回線Ｌが他の通信端末装置によって使用されているか否かを判定する（Ｓ１１０）。ここで通信回線Ｌが使用中であると判定した場合は（Ｓ１１０でＹＥＳ）、ステップＳ１０９に戻る。一方、使用中でないために通信回線Ｌを使用することが可能であると判定した場合（Ｓ１１０でＮＯ）、その通信回線Ｌを用いて発呼を行う（Ｓ１１１）。そして通信相手先のファクシミリ装置との間に装置間接続が確立した場合、通信時間の計時を開始（Ｓ１１２）するとともに、画像メモリ６に格納されている送信用の画像データを通信相手先へ送信する（Ｓ１１３）。
【００２８】
このデータ送信が終了した場合、前記確立した装置間接続を切断（Ｓ１１４）するとともに、通信時間の計時を終了する（Ｓ１１５）。そして、この計時の結果得られた通信時間にデータ送信に係る単位時間当たりの利用料金を乗ずることによって利用料金を算出し（Ｓ１１６）、通信時間、利用料金及び送信した原稿の枚数（送信枚数）を送信元番号と関連づけた後にＲＡＭ５に格納して（Ｓ１１７）、処理を終了する。
【００２９】
図６は、本発明の通信端末装置としてのファクシミリ装置における利用料金の集計及び出力処理の手順を示すフローチャートである。
ファクシミリ装置は、任意の送信元番号を選択し（Ｓ２０１）、選択した送信元番号に関連づけられた通信時間、利用料金及び送信枚数をＲＡＭ５から取得し、これらの値の集計処理を実行する（Ｓ２０２）。そして全ての送信元番号についてこの集計処理を行ったか否かを判定し（Ｓ２０３）、まだ集計処理が行われていない送信元番号があると判定した場合（Ｓ２０３でＮＯ）、ステップＳ２０１に戻る。
【００３０】
一方、ステップＳ２０３にて全ての送信元番号についての集計処理が終了したと判定した場合（Ｓ２０３でＹＥＳ）、集計処理の結果得られた通信時間、利用料金及び送信枚数の合計値を送信元別に示した利用状況情報を出力する（Ｓ２０４）。なおこの利用状況情報の出力は、表示部７にて表示することによって行ってもよく、また記録部１０によって記録紙に記録することによって行ってもよい。
【００３１】
図７は、利用状況情報の出力例を示す説明図である。図７において、テーブル７ｂは、回線番号フィールド，送信元番号フィールド，送信元名称フィールド，通信時間フィールド，利用料金フィールド及び送信枚数フィールドの各フィールドを有しており、これらのフィールド夫々には、上述した対応テーブル５ａに格納されている値又は上述した集計処理により算出された値が格納されている。
【００３２】
このような利用状況情報が出力されることによって、複数の利用者によって一台のファクシミリ装置が共用されている場合であっても、各利用者の利用状況を容易に管理することができる。
【００３３】
【発明の効果】
以上詳述した如く、請求項１に記載の通信端末装置によれば、複数の回線接続部夫々と複数の送信元の識別情報夫々とを対応付けて記憶しておき、データ送信の際、利用者によって選択された識別情報に対応付けられた回線接続部と接続されている通信回線を用いることによって、複数の利用者によって共用される場合であっても、利用者と通信回線とを対応付けて通信の利用状況を管理することができる。
【００３４】
また請求項２に記載の通信端末装置によれば、データ送信の都度、そのデータ送信に要した通信利用料金を識別情報別に記憶することによって、利用者別の料金管理を行うことができる。
【００３５】
さらに請求項３に記載の通信端末装置によれば、送信元別に通信利用料金を集計して出力することによって、各利用者が負担すべき通信利用料金を容易に把握することができる等、本発明は優れた効果を奏する。
【図面の簡単な説明】
【図１】本発明に係る通信端末装置としてのファクシミリ装置の構成を示すブロック図である。
【図２】対応テーブルの一例を示す説明図である。
【図３】本発明の通信端末装置としてのファクシミリ装置におけるデータ送信処理の手順を示すフローチャートである。
【図４】本発明の通信端末装置としてのファクシミリ装置におけるデータ送信処理の手順を示すフローチャートである。
【図５】送信元名称の一覧情報の表示例を示す説明図である。
【図６】本発明の通信端末装置としてのファクシミリ装置における利用料金の集計及び出力処理の手順を示すフローチャートである。
【図７】利用状況情報の出力例を示す説明図である。
【符号の説明】
１  主制御部
２  モデム
３  ＮＣＵ
３１  回線接続部
Ｌ  通信回線
【図１】
0004051867.tif 000002
【図２】
0004051867.tif 000003
【図３】
0004051867.tif 000004
【図４】
0004051867.tif 000005
【図５】
0004051867.tif 000006
【図６】
0004051867.tif 000007
【図７】
0004051867.tif 000008